(57)【特許請求の範囲】
【請求項１】
プラントのシミュレーションを行なうシミュレータを用いてプラントの運転訓練を行なうための訓練サイトをネットワーク上に公開するシミュレータシステムにおいて、
前記ネットワークに接続された情報端末からユーザが前記訓練サイトにアクセスして前記シミュレータによるプラントの運転訓練を行なう中で発生したエラーの情報またはユーザの疑問についての保守依頼を受け付ける手段と、
受け付けたエラーの情報または保守依頼を分析し、前記シミュレータの不具合かユーザによる操作エラーかのエラー種別を判定するエラー種別判定手段と、
前記エラー種別判定手段により判定されたエラー種別に応じた支援処理を実行し支援情報を保守依頼元へ送信する手段と
を具備したことを特徴とするシミュレータシステム。
【請求項２】
ネットワークに接続されたコンピュータにおいて、
プラントのシミュレーションを行なうシミュレータを用いて訓練生にプラントの運転訓練を行なわせるための訓練サイトをネットワーク上に公開する手段と、
訓練生の操作により前記シミュレータがシミュレーションしたデータを収集するデータ収集手段と、
ユーザが前記シミュレータの動作に疑問が生じた場合あるいはユーザが訓練に関する支援を要求する場合に、その疑問あるいは支援要求を行なうための作業要求仕様情報を作成する作業要求仕様情報作成手段と、
前記作業要求仕様情報作成手段により作成された作業要求仕様情報を前記ネットワークを通じて支援先へ送信する手段と、
を具備したことを特徴とするコンピュータ。
【請求項３】
請求項２記載のコンピュータにおいて、
支援先からネットワークを通じて送られてきた支援情報を受信する受信手段と、
前記受信手段により受信された支援情報のうち、シミュレータの動作状態を評価した評価情報を蓄積および管理する評価レポート管理手段と、
前記支援情報を管理するコンサルタント管理手段と、
これら支援情報および評価情報を所望に応じて画面表示するための制御を行なう表示制御手段と
を具備したことを特徴とするコンピュータ。
【請求項４】
ネットワークに接続されたコンピュータにおいて、
前記ネットワークを通じて、プラントのシミュレーションを行なうシミュレータを用いて訓練生にプラントの運転訓練を行なわせるための訓練サイトから保守依頼を受け付ける保守サイトを公開する手段と、
前記保守サイトに受け付けられた保守依頼を依頼内容に応じて分類する受信情報評価部と、
前記受信情報評価部により保守依頼から分類されたシミュレータの動作に関する疑問がユーザによる操作エラーかシミュレータそのものの動作エラーかを判定するコメント評価部と、
前記コメント評価部により判定されたエラーおよび前記受信情報評価部により保守依頼から分類された訓練支援依頼を分析して、予めデータベースに保持されている情報の中から該当支援情報を提供する訓練支援部と
を有することを特徴とするコンピュータ。
【請求項５】
プラントのシミュレーションを行なうシミュレータを用いてプラントの運転訓練を行なうための訓練サイトをネットワーク上に公開するステップと、
この訓練サイトを利用してプラントの運転訓練を行なったユーザからの保守依頼をネットワーク上に公開した保守サイトにて受け付けるステップと、
前記保守サイトで受け付けた保守依頼を分析し、前記シミュレータの不具合かユーザによる操作エラーかのエラー種別を判定するステップと、
判定したエラー種別に応じた支援処理を実行し支援情報を保守依頼元へ送信するステップと
を有することを特徴とするシミュレータの保守・コンサルタント方法。
【請求項６】
ネットワークに接続されたコンピュータに処理を実行させるプログラムにおいて、
前記コンピュータを、
プラントのシミュレーションを行なうシミュレータを用いて訓練生にプラントの運転訓練を行なわせるための訓練サイトをネットワーク上に公開する手段と、
訓練生の操作により前記シミュレータがシミュレーションしたデータを収集するデータ収集手段と、
ユーザが前記シミュレータの動作に疑問が生じた場合あるいはユーザが訓練に関する支援を要求する場合に、その疑問あるいは支援要求を行なうための作業要求仕様情報を作成する作業要求仕様情報作成手段と、
前記作業要求仕様情報作成手段により作成された作業要求仕様情報を前記ネットワークを通じて支援先へ送信する手段
として機能させるためのプログラム。
【請求項７】
請求項６記載のプログラムにおいて、
前記コンピュータを、
支援先から送られてきた支援情報を受信する受信手段と、
前記受信手段により受信された支援情報のうち、シミュレータの動作状態を評価した評価情報を蓄積および管理する評価レポート管理手段と、
前記支援情報を管理するコンサルタント管理手段と、
これら支援情報および評価情報を所望に応じて画面表示するための制御を行なう表示制御手段
として機能させるためのプログラム。
【請求項８】
ネットワークに接続されたコンピュータに処理を実行させるプログラムにおいて、
前記コンピュータを、
プラントのシミュレーションを行なうシミュレータを用いて訓練生にプラントの運転訓練を行なわせるための訓練サイトをネットワーク上に公開する手段と、
訓練生の操作により前記シミュレータがシミュレーションした内部データ、表示データおよび操作データからなるシミュレータ運転データを記録する手段と、
前記シミュレータ運転データとこれに対するコメントを保守依頼として、ネットワーク上の保守サイトに送信する手段と、
前記保守サイトから前記ネットワークを通じて返信されてきた回答データ、保守データ、あるいはプログラムを受信する手段と、
受信された回答データ、保守データ、あるいはプログラムにて訓練サイトのデータあるいはプログラムを更新する手段
として機能させるためのプログラム。
【請求項９】
ネットワークに接続されたコンピュータが、プラントのシミュレーションを行なうシミュレータを用いて訓練生にプラントの運転訓練を行なわせるための訓練サイトをネットワーク上に公開するステップと、
訓練生の操作により前記シミュレータがシミュレーションした内部データ、表示データおよび操作データからなるシミュレータ運転データを記録するステップと、
前記シミュレータ運転データとこれに対するコメントを保守依頼として、ネットワーク上の保守サイトに送信するステップと、
前記保守サイトから前記ネットワークを通じて返信されてきた回答データ、保守データ、あるいはプログラムを受信するステップと、
受信された回答データ、保守データ、あるいはプログラムにて訓練サイトのデータあるいはプログラムを更新するステップと
を有することを特徴とするシミュレータの保守・コンサルタント方法。
【請求項１０】
プラントのシミュレーションを行なうシミュレータを用いてプラントの運転訓練を行なうための訓練サイトをネットワーク上に公開するシミュレータシステムにおいて、
前記ネットワークに接続された情報端末から前記訓練サイトにアクセスした訓練生により前記シミュレータを動作させてシミュレーションされたプラントの運転訓練のデータを記録する記録手段と、
前記記録手段によって記録されたプラントの運転訓練のデータと予め設定されている基準データとを比較して訓練生の運転操作エラーを抽出およびチェックし問題点を抽出する手段と、
抽出された問題点の理由と適切な運転操作を出力する手段と、
抽出された問題点を改善するための訓練方法あるいは訓練教材を出力する手段と
を具備したことを特徴とするシミュレータシステム。
【請求項１１】
ネットワークに接続されたコンピュータに処理を実行させるプログラムにおいて、
前記コンピュータを、
プラントのシミュレーションを行なうシミュレータを用いてプラントの運転訓練を行なうための訓練サイトをネットワーク上に公開する手段と、
前記ネットワークに接続された情報端末から前記訓練サイトにアクセスした訓練生により前記シミュレータを動作させてシミュレーションされたプラントの運転訓練のデータを記録する記録手段と、
前記記録手段によって記録されたプラントの運転訓練のデータと予め設定されている基準データとを比較して訓練生の運転操作エラーを抽出およびチェックし問題点を抽出する手段と、
抽出された問題点の理由と適切な運転操作を出力する手段と、
抽出された問題点を改善するための訓練方法あるいは訓練教材を出力する手段として機能させるためのプログラム。
【請求項１２】
ネットワークに接続されたコンピュータが、プラントのシミュレーションを行なうシミュレータを用いて訓練生にプラントの運転訓練を行なわせるための訓練サイトをネットワーク上に公開するステップと、
訓練生の操作により前記シミュレータがシミュレーションしたプラントの運転訓練のデータを記録するステップと、
記録されたプラントの運転訓練のデータと予め設定されている基準データとを比較して訓練生の運転操作エラーを抽出およびチェックし問題点を抽出するステップと、
抽出された問題点の理由と適切な運転操作を出力するステップと、
抽出された問題点を改善するための訓練方法あるいは訓練教材を出力するステップと
を有することを特徴とするシミュレータの保守・コンサルタント方法。
【請求項１３】
請求項１２記載のシミュレータの保守・コンサルタント方法において、
訓練方法および訓練教材は、シミュレータの動作スケジュールを含むことを特徴とするシミュレータの保守・コンサルタント方法。
【発明の詳細な説明】
【０００１】
【発明の属する技術分野】
この発明は、プラントをコンピュータ上でシミュレーションするシミュレータを用いたシミュレータシステムに関し、特にシミュレータの遠隔保守および運転訓練を支援するためのシミュレータシステム、コンピュータ、シミュレータの保守・コンサルタント方法およびプログラムに関する。
【０００２】
【従来の技術】
例えば火力発電、水力発電、原子力発電、風力発電等の発電プラントや、化学、汚水処理、廃棄物処理などのプラントが全国各地に設置されている。
【０００３】
現在では、上記プラントをシミュレーションするシミュレータを用いて、プラントを運転操作するオペレータの運転訓練や事象の学習などを行なうシステム（以下シミュレータシステムと称す）が使われている。
【０００４】
このシミュレータシステムにおいて、シミュレーションした結果のレビューや疑問点の解決などにそのデータを使うことが考えられるが、このためにはデータの整理や判断が必要となり、現実のシステムでは、データが必ずしも有効に利用あるいは処理されていない。
【０００５】
このシミュレータシステムでは、実際に発生したことのない、発生確立の極めて小さい事象も訓練対象としているため、その動作に疑問が生じる場合がある。
【０００６】
この場合、シミュレータ自体の精度の問題の他、模擬対象としたシステム動作の解釈の違いによるもの、あるいはシミュレータの模擬範囲外などがある。
【０００７】
すなわち、例えば運転訓練用のシミュレータにおいては実時間かあるいは実時間以上のスピードで事象をシミュレーションする必要があるため、詳細に模擬できる領域と訓練としての精度は満足するものの近似を必要とする領域がある。また、シミュレータの精度として全ての領域をカバーするわけでなく、訓練上使わない領域は必要なく模擬範囲外となる。
【０００８】
しかし、現行のシミュレータシステムでは、システムの単純化のためこれらの模擬範囲が制限されており、主要なパラメータや領域についてのみ示される。また、複雑な事象をシミュレーションするような場合は、主要なパラメータや領域でさえも表示するよう設定をすることは難しい。
【０００９】
また、例えば原子力発電プラントにおける原子炉水位の過渡的応答などについては、水位の変化には種々の要因が入っており、新しい事象の組み合わせのようなときは、プラントの監視パラメータだけでの判断では解釈が難しい場合がある。例えば、原子炉とタービンを連絡する主蒸気管に設けられる主蒸気隔離弁が閉じたような場合では、流出する蒸気がないため、給水がある場合は水位が上昇するし給水がない場合でも崩壊熱の加熱による膨張で水位が増加する場合がある。
【００１０】
このような場合、その動作状況を説明するものとして、動作概要を記述したメモなどを設計側に送付していた。設計側では、これら送付資料を検討し、シミュレータの動作状況の解釈を行ない利用者に回答していた。
【００１１】
シミュレータ動作に対する疑問を示した資料は、断片的なものであり、利用者からの情報を基に系統特性を検討するか、あるいは設計側の持っているシステムで再現してみたりしてシミュレータの動作状況を把握していた。
【００１２】
この結果、詳細な内容については、現地に保守員を派遣してシステムを修正しており、事象の説明やモデルの調整が完了するまでに多くの時間がかかっていた。
【００１３】
一方、シミュレータを使ったプラントの運転訓練を行なう場合、その訓練結果を評価する必要がある。
【００１４】
訓練結果の自動的な評価を行なう装置として、例えば特許第２９１５５２２号公報に、シミュレータの操作履歴のデータとその操作すべき条件の基準データからその操作が妥当であるかどうかの判定を行なう判定機能を備えた「運転訓練評価支援装置」が記載されている。
【００１５】
この運転訓練評価支援装置の場合、判定機能単体がシミュレータと同じ場所に配置されている場合は、時刻に応じて訓練・操作結果を評価できるという利点があるものの、操作結果を評価して適切な訓練方法や学習のための事例などを提示するといった利用には不向きであった。
【００１６】
また、シミュレータを用いたプラントの運転訓練では、事後評価・復習が重要であるが、これらを有効に行なうためには運転訓練のインストラクターが訓練結果を次の運転訓練の対象者にフィードバックし、何を学習すべきかを明確にすることが重要である。
【００１７】
しかし、例えば、インストラクターが、エラーを抽出したとしても、それを分析し適切な教材を作ったり、あるいは既存の教材から適切なものを選定する作業をインストラクターが都度履行するため、インストラクターにかかる負担が大きいというのが現状である。
【００１８】
現在では、特に、各サイトにシミュレータが設置され、日常的に訓練が行なわれており、インストラクターが新たな訓練カリキュラムを作成することは多大な困難を伴う。
【００１９】
インストラクターが摘出した操作エラーについては、訓練を受けている訓練生がこまめにメモしたり、あるいはインストラクター自身が自分の頭の中に記憶しておくようにしているが、多くは訓練生に対する指摘事項として指導した後は、その情報が消えてしまい、定量的な評価や、訓練生および運転作業員の操作エラーの特徴把握等に恒常的情報として利用することは難しかった。
【００２０】
また、訓練生の過去の訓練履歴と共に操作エラーを蓄積していないため、事前にあるいは訓練期間中の途中で操作エラーの傾向を定量的に把握できず訓練で重点を置くべき個所が明確にならない。このため、どの訓練生にも画一的に同じような内容の学習や訓練を行なってしまい、効果的な訓練を行なうことが困難であった。
【００２１】
【発明が解決しようとする課題】
本発明はこのような課題を解決するためになされたもので、シミュレータのデータを有効に活用し、シミュレータの保守を迅速に行なうことのできるシミュレータシステム、コンピュータ、シミュレータの保守・コンサルタント方法およびプログラムを提供することを目的とするものである。
【００２２】
【課題を解決するための手段】
上記目的を達成するために、請求項１記載の発明のシミュレータシステムは、プラントのシミュレーションを行なうシミュレータを用いてプラントの運転訓練を行なうための訓練サイトをネットワーク上に公開するシミュレータシステムにおいて、前記ネットワークに接続された情報端末からユーザが前記訓練サイトにアクセスして前記シミュレータによるプラントの運転訓練を行なう中で発生したエラーの情報またはユーザの疑問についての保守依頼を受け付ける手段と、受け付けたエラーの情報または保守依頼を分析し、前記シミュレータの不具合かユーザによる操作エラーかのエラー種別を判定するエラー種別判定手段と、前記エラー種別判定手段により判定されたエラー種別に応じた支援処理を実行し支援情報を保守依頼元へ送信する手段とを具備したことを特徴としている。
【００２３】
請求項２記載の発明のコンピュータは、ネットワークに接続されたコンピュータにおいて、プラントのシミュレーションを行なうシミュレータを用いて訓練生にプラントの運転訓練を行なわせるための訓練サイトをネットワーク上に公開する手段と、訓練生の操作により前記シミュレータがシミュレーションしたデータを収集するデータ収集手段と、ユーザが前記シミュレータの動作に疑問が生じた場合あるいはユーザが訓練に関する支援を要求する場合に、その疑問あるいは支援要求を行なうための作業要求仕様情報を作成する作業要求仕様情報作成手段と、前記作業要求仕様情報作成手段により作成された作業要求仕様情報を前記ネットワークを通じて支援先へ送信する手段とを備したことを特徴としている。
【００２４】
請求項３記載のコンピュータは、請求項２記載のコンピュータにおいて、支援先からネットワークを通じて送られてきた支援情報を受信する受信手段と、前記受信手段により受信された支援情報のうち、シミュレータの動作状態を評価した評価情報を蓄積および管理する評価レポート管理手段と、前記支援情報を管理するコンサルタント管理手段と、これら支援情報および評価情報を所望に応じて画面表示するための制御を行なう表示制御手段とを具備したことを特徴としている。
【００２５】
請求項４記載の発明のコンピュータは、ネットワークに接続されたコンピュータにおいて、前記ネットワークを通じて、プラントのシミュレーションを行なうシミュレータを用いて訓練生にプラントの運転訓練を行なわせるための訓練サイトから保守依頼を受け付ける保守サイトを公開する手段と、前記保守サイトに受け付けられた保守依頼を依頼内容に応じて分類する受信情報評価部と、前記受信情報評価部により保守依頼から分類されたシミュレータの動作に関する疑問がユーザによる操作エラーかシミュレータそのものの動作エラーかを判定するコメント評価部と、前記コメント評価部により判定されたエラーおよび前記受信情報評価部により保守依頼から分類された訓練支援依頼を分析して、予めデータベースに保持されている情報の中から該当支援情報を提供する訓練支援部とを具備したことを特徴としている。
【００２６】
請求項５記載の発明のシミュレータの保守・コンサルタント方法は、プラントのシミュレーションを行なうシミュレータを用いてプラントの運転訓練を行なうための訓練サイトをネットワーク上に公開するステップと、この訓練サイトを利用してプラントの運転訓練を行なったユーザからの保守依頼をネットワーク上に公開した保守サイトにて受け付けるステップと、前記保守サイトで受け付けた保守依頼を分析し、前記シミュレータの不具合かユーザによる操作エラーかのエラー種別を判定するステップと、判定したエラー種別に応じた支援処理を実行し支援情報を保守依頼元へ送信するステップとを有することを特徴としている。
【００２７】
請求項６記載の発明のプログラムは、ネットワークに接続されたコンピュータに処理を実行させるプログラムにおいて、前記コンピュータを、プラントのシミュレーションを行なうシミュレータを用いて訓練生にプラントの運転訓練を行なわせるための訓練サイトをネットワーク上に公開する手段と、訓練生の操作により前記シミュレータがシミュレーションしたデータを収集するデータ収集手段と、ユーザが前記シミュレータの動作に疑問が生じた場合あるいはユーザが訓練に関する支援を要求する場合に、その疑問あるいは支援要求を行なうための作業要求仕様情報を作成する作業要求仕様情報作成手段と、前記作業要求仕様情報作成手段により作成された作業要求仕様情報を前記ネットワークを通じて支援先へ送信する手段として機能させるためのプログラムである。
【００２８】
請求項７記載の発明のプログラムは、請求項６記載のプログラムにおいて、前記コンピュータを、支援先から送られてきた支援情報を受信する受信手段と、前記受信手段により受信された支援情報のうち、シミュレータの動作状態を評価した評価情報を蓄積および管理する評価レポート管理手段と、前記支援情報を管理するコンサルタント管理手段と、これら支援情報および評価情報を所望に応じて画面表示するための制御を行なう表示制御手段として機能させるためのプログラムである。
【００２９】
請求項８記載の発明のプログラムは、ネットワークに接続されたコンピュータに処理を実行させるプログラムにおいて、前記コンピュータを、プラントのシミュレーションを行なうシミュレータを用いて訓練生にプラントの運転訓練を行なわせるための訓練サイトをネットワーク上に公開する手段と、訓練生の操作により前記シミュレータがシミュレーションした内部データ、表示データおよび操作データからなるシミュレータ運転データを記録する手段と、前記シミュレータ運転データとこれに対するコメントを保守依頼として、ネットワーク上の保守サイトに送信する手段と、前記保守サイトから前記ネットワークを通じて返信されてきた回答データ、保守データ、あるいはプログラムを受信する手段と、受信された回答データ、保守データ、あるいはプログラムにて訓練サイトのデータあるいはプログラムを更新する手段として機能させるためのプログラムである。
【００３０】
請求項９記載の発明のシミュレータの保守・コンサルタント方法は、ネットワークに接続されたコンピュータが、プラントのシミュレーションを行なうシミュレータを用いて訓練生にプラントの運転訓練を行なわせるための訓練サイトをネットワーク上に公開するステップと、訓練生の操作により前記シミュレータがシミュレーションした内部データ、表示データおよび操作データからなるシミュレータ運転データを記録するステップと、前記シミュレータ運転データとこれに対するコメントを保守依頼として、ネットワーク上の保守サイトに送信するステップと、前記保守サイトから前記ネットワークを通じて返信されてきた回答データ、保守データ、あるいはプログラムを受信するステップと、受信された回答データ、保守データ、あるいはプログラムにて訓練サイトのデータあるいはプログラムを更新するステップとを有することを特徴としている。
【００３１】
請求項１０記載の発明のシミュレータシステムは、プラントのシミュレーションを行なうシミュレータを用いてプラントの運転訓練を行なうための訓練サイトをネットワーク上に公開するシミュレータシステムにおいて、前記ネットワークに接続された情報端末から前記訓練サイトにアクセスした訓練生により前記シミュレータを動作させてシミュレーションされたプラントの運転訓練のデータを記録する記録手段と、前記記録手段によって記録されたプラントの運転訓練のデータと予め設定されている基準データとを比較して訓練生の運転操作エラーを抽出およびチェックし問題点を抽出する手段と、抽出された問題点の理由と適切な運転操作を出力する手段と、抽出された問題点を改善するための訓練方法あるいは訓練教材を出力する手段とを具備したことを特徴としている。
【００３２】
請求項１１記載の発明のプログラムは、ネットワークに接続されたコンピュータに処理を実行させるプログラムにおいて、前記コンピュータを、プラントのシミュレーションを行なうシミュレータを用いてプラントの運転訓練を行なうための訓練サイトをネットワーク上に公開する手段と、前記ネットワークに接続された情報端末から前記訓練サイトにアクセスした訓練生により前記シミュレータを動作させてシミュレーションされたプラントの運転訓練のデータを記録する記録手段と、前記記録手段によって記録されたプラントの運転訓練のデータと予め設定されている基準データとを比較して訓練生の運転操作エラーを抽出およびチェックし問題点を抽出する手段と、抽出された問題点の理由と適切な運転操作を出力する手段と、抽出された問題点を改善するための訓練方法あるいは訓練教材を出力する手段として機能させるためのプログラムである。
【００３３】
請求項１２記載の発明のシミュレータの保守・コンサルタント方法は、ネットワークに接続されたコンピュータが、プラントのシミュレーションを行なうシミュレータを用いて訓練生にプラントの運転訓練を行なわせるための訓練サイトをネットワーク上に公開するステップと、訓練生の操作により前記シミュレータがシミュレーションしたプラントの運転訓練のデータを記録するステップと、記録されたプラントの運転訓練のデータと予め設定されている基準データとを比較して訓練生の運転操作エラーを抽出およびチェックし問題点を抽出するステップと、抽出された問題点の理由と適切な運転操作を出力するステップと、抽出された問題点を改善するための訓練方法あるいは訓練教材を出力するステップとを有することを特徴としている。
【００３４】
なお、請求項１２記載のシュレータシステムの保守・コンサルタント方法において、訓練方法および訓練教材として、シミュレータの動作スケジュールを含むことで、シミュレータの今後の動作が訓練生によく分かるようになる。
【００３５】
本発明では、シミュレータを動作させる訓練サイトと保守サイトをネットワークで接続し、訓練サイトには、シミュレーションデータを収集し、作業要求仕様情報と共に保守サイトへデータを送信する送信データ管理機能を設ける。
【００３６】
また、保守サイトには、これらデータを受信し、作業要求仕様情報に従って訓練支援、またはコメント評価を行なう保守データ管理機能を設ける。保守サイトでは必要に応じてシミュレータのオンライン保守を行なう。さらに、訓練サイトでは、保守データ管理機能からの情報を基に支援情報、あるいは疑問に対する評価結果を表示する受信データ管理機能を設ける。
【００３７】
保守サイトは、各訓練サイトから送られてくる情報を受信し、作業要求仕様情報報に従って分類する。この分類において訓練支援の要求があれば、予めデータベースに登録されている標準訓練操作と受信した訓練操作のデータとを比較しエラーを検出する。
【００３８】
また、作業要求仕様がシミュレータ動作の疑問に関するものであれば、コメント評価部で訓練生の操作エラーか、シミュレータそのものの不具合かを判断フローに従って判断する。
【００３９】
そして、訓練生の操作エラーであれば、訓練生の操作エラーを摘出する回答を作成して送信したり、シミュレータの不具合に対してはプログラムを更新するなどの支援を行なう。
【００４０】
これにより、シミュレータのデータを有効に活用し、シミュレータの保守を迅速に行なうことができる。
【００４１】
【発明の実施の形態】
以下、本発明の実施の形態を図面を参照して詳細に説明する。
図１は本発明に係る一つの実施の形態のシミュレータシステムの構成を示す図である。
【００４２】
図１に示すように、このシミュレータシステムは、例えば原子力発電プラントなどのシミュレーションを行なうシミュレータ１１０を動作させて原子力発電プラントを操作するための運転訓練を行なう訓練サイトを公開するサーバと、この訓練サイトにあるシミュレータ１１０への質問事項および運転訓練の支援情報を提供する保守サイトを公開するサーバと、これらサーバが接続されたインターネットなどのネットワーク１７０とから構成されている。
【００４３】
ユーザ（訓練生）は、ネットワーク１７０に接続された例えばコンピュータなどの情報端末から訓練サイトにアクセスすることで、原子力発電プラントを操作するための運転訓練を行なうことができる。また、ユーザ（訓練生）がシミュレータ１１０を利用したプラントの運転訓練を行なう中で、シミュレータ操作あるいはシミュレータの動作に関する疑問や不具合などが発生した場合に、保守サイトにアクセスし保守依頼を行なうことで、保守依頼に対する支援情報が保守サイトから提供されるので、ユーザは、情報端末の設置場所に居ながらにして原子力発電プラントの運転訓練とその際の保守あるいはサポートを受けることができる。
【００４４】
各サーバ、およびユーザが操作する情報端末は、ＣＤ−ＲＯＭやフレキシブルディスク（ＦＤ）を装填し読み取り可能な装置本体部と、この装置本体部に接続された入力装置および表示装置とからなる一般的なコンピュータである。入力装置は、例えばキーボート、マウスなどである。表示装置は、例えばＣＲＴモニタ、ＬＣＤパネルなどである。
【００４５】
装置本体部には、ＣＰＵ、ＲＯＭおよびＲＡＭなどからなる制御部と、ハードディスクドライブ（ＨＤＤ）と、ＣＤ−ＲＯＭの情報を読み取るＣＤ−ＲＯＭドライブと、ＦＤに対し情報を読み取りおよび書き込みを行なうＦＤドライブと、通信装置などが搭載されている。ＲＯＭには、バイオスなどの初期動作設定プログラムが格納されている。通信装置は、インターネットなどへのアクセスポイントに接続するモデム、ＴＡ、ダイヤルアップルータや、ＣＡＴＶ用あるいはｘＤＳＬ通信用のモデムとＬＡＮとのデータ通信を行なうＬＡＮインターフェース（以下ＬＡＮＩ／Ｆと称す）などである。ＨＤＤにはオペレーティングシステム（以下ＯＳと称す）を含む各種ソフトウェアがインストールされている。
【００４６】
各サーバのＨＤＤには、ネットワーク１７０上に訓練サイト、保守サイトを公開するためのＷＷＷサーバソフトウェアがインストールされている。
【００４７】
また、各サーバのＨＤＤには、各種データベースが構築されている。なお、データベースの詳細について後述する。
【００４８】
また、訓練サイトを公開するサーバのソフトウェアとしては、例えばシミュレータソフトウェア、送信データ管理ソフトウェア、受信データ管理ソフトウェアなどがある。シミュレータソフトウェアは、原子力発電プラントをシミュレーションするシミュレータ１１０の機能を実現するためのソフトウェアであり、情報端末のユーザは、この訓練サイトにアクセスしシミュレータソフトウェアを起動することで、実際のプラントとほぼ同様の運転訓練を行なうことができる。送信データ管理ソフトウェアは、後述する送信データ管理機能１２０を実現するソフトウェアである。受信データ管理ソフトウェアは、後述する受信データ管理機能１３０を実現するソフトウェアである。なお、設置場所によっては、シミュレータ１１０は、ハードウェアで実現されている場合もある。
【００４９】
つまり、訓練サイトは、シミュレータ１１０と、このシミュレータ１１０のデータや保守依頼データを管理し送信する送信データ管理機能１２０と、保守サイトからのデータを受信して管理する受信データ管理機能１３０とを有している。
【００５０】
送信データ管理機能１２０は、データ収集部１２１、作業要求仕様作成部１２１、データ送信部１２２などから構成されている。
【００５１】
受信データ管理機能１３０は、評価レポート管理部１３１、コンサルタント情報管理部１３２、データ受信部１３３および表示情報制御部１３４から構成されている。保守サイトからの情報は、この表示情報制御部１３４を経て情報表示部１４０から提供される。
【００５２】
図１におけるＤ１は、シミュレータ１１０のデータあるいはシミュレータ１１０の保守依頼などの作業仕様要求に関するシミュレータ／保守依頼データを示している。シミュレータ１１０の情報は、送信データ管理機能１２０のデータ収集部１２１でデータを収集し、ネットワーク１７０経由で保守サイトの保守データ管理機能１５０へデータＤ１を送信する。このデータＤ１の送信は、データ送信部１２３で行なわれるが、データＤ１の送信は、シミュレータ１１０のデータを収集し後から送信する場合と、シミュレータ１１０の動作に伴ないリアルタイムで直接送信する場合とがある。
【００５３】
ユーザが、訓練サイトにアクセスしてシミュレータ１１０を利用し運転訓練を行なう中でシミュレータ１１０の動作に疑問が生じた場合、この疑問の概要を作業要求仕様として保守サイトに通知（送信）する必要がある。この作業要求仕様は、作業要求仕様作成部１２２を起動して作成する。
【００５４】
作業要求仕様作成部１２２を起動すると、メニュー画面により予め記入する項目が表示されるので、そのメニュー画面の中から該当する項目を選択するか、あるいは疑問の内容をテキストボックスに記述するなどして作業要求仕様に関するデータＤ１を作成することができる。この後、例えば画面上の送信ボタンをクリックすると、そのデータＤ１がデータ送信部１２３からネットワーク１７０を経て保守データ管理機能１５０へ送信される。
【００５５】
一方、保守サイトは、訓練サイトから送信されてきたデータを処理し訓練支援情報またはコメント回答を訓練サイト側に送信する保守データ管理機能１５０を有している。
【００５６】
この保守データ管理機能１５０は、受信情報評価部１５１、訓練支援部１５２およびコメント評価部１５３から構成されており、コメント評価部１５３にてシミュレータ１１０の不具合と評価された場合はリモート保守部１６０からネットワーク１７０を経てシミュレータ１１０のデータあるいはプログラムの修正を行なう。
【００５７】
保守データ管理機能１５０では、ネットワーク１７０を経て受信情報評価部１５１で受信したデータＤ１を作業要求仕様に従って訓練支援部１５２またはコメント評価部１５３に伝送する。
【００５８】
作業要求仕様が訓練支援要求の場合、受信データＤ１は、訓練支援部１５２へ伝送される。訓練支援部１５２では、基準データと操作データを比較し、エラーを検出すると共に、エラーに対応した訓練カリキュラムを訓練支援情報データＤ２として訓練サイトに送信する。
【００５９】
作業要求仕様がシミュレータ１１０の動作に対する疑問、または不具合の場合、受信データＤ１は、コメント評価部１５３へ伝送される。コメント評価部１５３では、コメントで指摘された部分を中心にシミュレーションデータを検証し、この結果と疑問または不具合の対応策をコメント評価結果データＤ３として訓練サイトへ送信する。また、シミュレータ１１０の動作の不具合の修正がオンラインで可能な場合、リモート保守部１６０からネットワーク１７０経由でリモート保守データＤ４をシミュレータ１１０に送信し、シミュレータ１１０のデータを修正する。
【００６０】
以下、図２〜図１５を参照してこの実施の形態のシミュレータシステムの動作について説明する。
【００６１】
図２は保守データ管理機能１５０の受信情報評価部１５１の動作を示すフローチャートである。
図２に示すように、訓練サイトからシミュレータ／保守依頼データＤ１（シミュレーションデータ、作業要求仕様など）がネットワーク１７０を通じて保守サイトへ送信されると、受信情報評価部１５１が、まず、その保守依頼のデータＤ１を受信する（Ｓ２０１）。
【００６２】
次に、受信情報評価部１５１は、作業要求仕様の把握（分析）を行なう（Ｓ２０２）。受信情報評価部１５１は、この作業要求仕様に従って受信したデータＤ１を各機能に伝送する。
【００６３】
作業要求仕様の把握（分析）を行なった結果、作業要求仕様が、例えば訓練支援という内容のものであった場合（Ｓ２０３；Yes）、受信情報評価部１５１は、保守依頼のデータＤ１を訓練支援部１５２へ伝送する（Ｓ２０４）。
また、作業要求仕様がシミュレータ１１０の動作そのものに関するものであった場合（Ｓ２０３；No）、受信情報評価部１５１は、保守依頼のデータをコメント評価部１５３へ伝送する（Ｓ２０５）。
【００６４】
図３は保守データ管理機能１５０の訓練支援部１５２の構成を示したブロック図である。
図３において、訓練支援部１５２では、受信情報評価部１５１からの保守依頼のデータＤ１を訓練支援情報管理部３０１で受信する。訓練支援情報受信部３０１では、受信したデータを基に判定基準となるデータを判定基準データベース３０４より選択し、エラー検出部３０２へ受信データと共に送る。エラー検出部３０２では、判定基準データと受信データとを比較することによりエラーを検出する。そして、検出されたエラー検出結果を訓練支援情報管理部３０１へ返送する。この返送されたエラー検出結果は、訓練カリキュラム／教材選定部３０３へ伝送され、ここで、エラーに対応した訓練カリキュラムおよび／または訓練教材が選定される。ここでは、訓練支援データベース３０５より、エラーに対応した訓練カリキュラム、訓練教材を選定する。この選定されたカリキュラムおよび／または訓練教材は、訓練支援情報Ｄ２として訓練支援情報管理部３０１に伝送され、ネットワーク１７０経由で訓練サイトへ送られる。
【００６５】
訓練カリキュラムは、エラー傾向に従って訓練事象、投入マルファンクション、訓練ポイントなどから構成されており、これらが電子データとしてまとめられたものである。
【００６６】
訓練教材も同様に、エラー傾向に従って、例えばプラントの特定の系統のインターロック、操作に対する系統の応答、および、系統の目的などをＣＡＩデータとしてまとめられたものとして提供される。さらに、必要に応じて、系統を構成している機器の特性、現場の様子（配管取り回しなど）が、映像またはグラフィクスの形態で提供される。
【００６７】
図４は訓練支援部１５２の動作を示すフローチャートである。
図４に示すように、受信情報評価部１５１からの保守依頼のデータを訓練支援部１５２で受信すると、訓練支援部１５２は、受信した保守依頼のデータＤ１から訓練事象の把握（分析）を行なう（Ｓ４０１）。
【００６８】
次に、訓練支援部１５２は、訓練事象に対応した基準データを判定基準データベース３０４から入力（取得）する（Ｓ４０２）。
【００６９】
そして、訓練支援部１５２は、取得した基準データと保守依頼のデータＤ１とを比較して操作エラーを検出する（Ｓ４０３）。
【００７０】
この操作は、例えばデータＤ１を解析することで、基準データにおける理想的な訓練手順の一部が不足している、順序が異なる、などの不具合要因として検出されるものである。
【００７１】
この比較結果で操作エラーがあった場合（Ｓ４０４；Yes）、訓練支援部１５２は、操作エラーの種類を同定する（Ｓ４０５）。
【００７２】
訓練支援部１５２は、このエラー同定結果に従って訓練用のマルファンクション（malfunction；不具合、故障事象）を選択すると共に（Ｓ４０６）、訓練教材を選定する（Ｓ４０７）。
【００７３】
また、訓練支援部１５２は、選択された訓練用のマルファンクションを組み合わせて訓練カリキュラムを作成する（Ｓ４０８）。
【００７４】
基準データと保守依頼データＤ１との比較で、エラーが検出できなかった場合（Ｓ４０５；No）、訓練支援部１５２は、この事象の訓練を完了とする（Ｓ４０９）。
【００７５】
図５は保守データ管理機能１５０のコメント評価部１５３の構成を示したブロック図である。
図５において、コメント評価部１５３は、コメント評価情報管理部５０１で保守依頼のデータＤ１を受信する。この受信データＤ１は、模擬範囲・仕様判断部５０２およびコメント判断部５０３で処理される。
【００７６】
模擬範囲・仕様判断部５０２では、予めデータベース化した模擬範囲・仕様データベース５０６の情報と訓練サイトから送られてきたコメントの内容とを比較する。また、コメント判断部５０３では、コメントの内容を判断基準データベース５０７の情報と比較する。
【００７７】
これらの比較結果は、コメント評価情報Ｄ３としてコメント評価情報管理部５０１へ伝送され、ここからネットワーク１７０経由で訓練サイトへ伝送される。
また、データＤ１のコメントがシミュレータ１１０の不具合に起因しかつこの不具合がネットワーク１７０経由の通信によって修正可能と判断された場合、リモート保守部１６０からリモート保守データＤ４をシミュレータ１１０にネットワーク１７０経由で送信してシミュレータ１１０のプログラムあるいはパラメータなどを修正する。このようなシミュレータ１１０の不具合修正の内容は、保守履歴管理部５０４にて保守履歴データベース５０８へ記録される。
【００７８】
図６は保守データ管理機能１５０のコメント評価部１５３の動作を示すフローチャートである。
図６に示すように、コメント評価部１５３では、保守データＤ１を、ユーザの質問ということで受け付ける（Ｓ６０１）。この質問において、まず、質問票のデータから質問が第１回目かどうかを判断する（Ｓ６０２）。
【００７９】
この判断結果、質問が２回目以降である場合（Ｓ６０２；No）、コメント評価部１５３は、人間系での対応と判断し、保守サイトの係員に対して質問票に文書で書かれた内容を含めて検討するようメッセージを表示し（Ｓ６０３）、係員からユーザに回答する（Ｓ６０４）。
【００８０】
一方、質問がその事象について第１回目である場合（Ｓ６０２；Yes）、コメント評価部１５３は、プラントデータが、シミュレータ１１０の設計仕様の範囲か否かを判断する（Ｓ６０５）。
【００８１】
この判断結果、プラントデータが、シミュレータ１１０の設計仕様の範囲外である場合には（Ｓ６０５；No）、コメント評価部１５３は、模擬範囲・仕様データベース５０６から模擬範囲の拡張の可能性についてのデータを取得し（Ｓ６０６）、ユーザへ回答する（Ｓ６０７）。
【００８２】
また、プラントデータがシミュレータ１１０の設計仕様の範囲内と判断した場合（Ｓ６０５；Yes）、コメント評価部１５３は、次にこのプラントデータがシミュレータ１１０の設計精度の基準範囲か否かを判断する（Ｓ６０８）。
【００８３】
シミュレータ１１０の設計精度の基準内であれば（Ｓ６０８；Yes）、コメント評価部１５３は、ユーザと製作者の間で事象の解釈の違いと判断し、事象解説データベース５０９を検索して、事象の説明内容と基準データとを取得し（Ｓ６０９）、この検索結果の内容をユーザへ回答する（Ｓ６０７）。
【００８４】
シミュレータ１１０の設計精度の基準外であれば（Ｓ６０８；No）、これも人間系で処理することになり、質問事項の再現を行ない（Ｓ６１０）、その旨を係員に通知する。
【００８５】
この通知を受けた係員は、パラメータの設定で調整できる範囲か否かを判断し（Ｓ６１１）、パラメータの調整で対応可能であれば（Ｓ６１１；Yes）、パラメータの調整を実施する（Ｓ６１２）。
【００８６】
また、パラメータの調整だけでは対応できない場合（Ｓ６１１；No）、ロジックあるいはプログラムの変更（調整）を行なう（Ｓ６１３）。
【００８７】
上記各調整については、ネットワーク１７０を介してシミュレータ１１０のデータやプログラムを修正したりする、いわゆるオンラインでのメンテナンスとする（Ｓ６１４）。
【００８８】
この一連の処理の一例として、原子力発電プラントのシミュレータで原子炉水位の監視を行なうような場合について、以下に示す。例えば、事象模擬において、水位の応答に疑問が生じた場合、この状態のシミュレーションデータを収集する。シミュレーションデータと共に、作業要求仕様として、水位の応答に疑問があることを穴埋め形式の書式に記入する。例えば図７から図８のような画面から質問の内容を設定し、詳細な内容をフォーマットの画面に対して必要事項を穴埋めし、さらに、疑問発生の根拠となった画面などの映像もデータとして収集する。これらデータを保守サイトに送信する。
【００８９】
保守サイトでは、保守データ管理機能１５０の受信情報評価部１５１で保守依頼データＤ１を受信し、この中の作業要求仕様に従って、ここではコメント評価部１５３へデータが伝送される。ここでは、評価判断ロジックにて模擬範囲内か否かを自動的に判断する。
【００９０】
図７の画面では、作業要求仕様が、シミュレータ１１０の動作確認要求であるため、これを選択し、「事象の設定→設定画面」の部分をクリックする。これをクリックすると、図８の画面が表示され、収集したプラントデータのトレンドグラフが示される。ここで、▲１▼の事象の選択メニューから質問する事象、例えば全給水喪失を選択する。次に▲２▼の注目するパラメータ、例えば原子炉水位などをリストから選択し表示させる。
【００９１】
そして、▲３▼の注目領域の設定において質問する領域を選択し、▲４▼のコメントする内容を選択する。この例では、原子炉水位がある区間で正方向に変化量が大きすぎることを表している。
【００９２】
このとき、シミュレータ１１０の模擬範囲内かどうかについては、表１の（１）の仕様の範囲外の判定ロジックで判断する。
【表１】
0004244271.tif 000002
この表１の（１）の仕様の範囲外の判定ロジックでは、判定条件を満足しないため、模擬範囲内ということになる。
【００９３】
次に、シミュレータ１１０の設計精度の基準内かどうかについては、図９のように基準データからの偏差を計算し、表１の（２）の精度の判定ロジックによって判定する。
【００９４】
これが精度の範囲内である場合には、シミュレータ１１０の応答に不具合はなく事象の解釈の違いと判断し、事象解説データベース５０９から全給水喪失に関する内容を取得してユーザに回答（送信）する。
【００９５】
すなわち、図８のような原子炉水位については「（全給水喪失であるから）給水が停止しているのになぜ水位が上昇するのか」という意味の質問であるため、「（精度に問題はありません。）主蒸気隔離弁（MSIV）が閉じているため原子炉圧力容器から流出する蒸気はなく、崩壊熱により炉水が加熱され膨張するため、原子炉水位が上昇します」などといった回答になる。
【００９６】
また、図１０の場合は、全給水喪失後に長時間経過し主蒸気逃し弁からの流出により原子炉水位が低下して炉心が露出し燃料温度が上昇し、トレンドグラフの後半で原子炉水位の変化が激しくなったというケースである。
【００９７】
このケースは、図９のケースと同じように▲１▼事象、▲２▼パラメータ、▲３▼領域、▲４▼コメント内容が選択され、図６のフローチャートの評価処理によって評価される。このとき、これが第１回目のコメントである場合には、模擬範囲内であるかどうかの判断を表１の（１）の仕様の範囲外の判定ロジックで行なう。なお、このケースの場合は、燃料棒温度が１２００℃以上であるため模擬範囲外と判断する。
【００９８】
そして、このときは、模擬範囲・仕様データベース５０６を参照して模擬範囲の拡張が可能であるかどうかの回答を行なう。この場合は、例えば「燃料棒温度が１２００℃以上であるため模擬範囲外です。苛酷事象モデルにより燃料の溶融が発生し、原子炉圧力容器・原子炉格納容器が破損する可能性を有する事象を模擬することができます。」といった回答になる。これら説明の根拠とするデータベースとして、事象解説データベース５０９と拡張可能性データベース５１０とを図１１に示した。
【００９９】
図１２は受信データ管理機能１３０の中にある評価レポート管理部１３１の処理を示すフローチャートである。
【０１００】
受信データ管理機能１３０では、評価レポート管理部１３１は、訓練データＤ１を保守サイトへ送信し、返信されてきたデータがデータ受信部１３３で受信されると、受信データ管理機能１３０は、受信されたデータが訓練支援の評価レポートＤ３か、シミュレータ１１０に関するコンサルタント情報Ｄ２かを判断する。
【０１０１】
そして、訓練支援の評価レポートのデータであれば、評価レポート管理部１３１で処理する。
【０１０２】
評価レポート管理部１３１では、図１２に示すように、まず、保守サイトより返信されてきた評価レポートを電子データの形で受け取り（Ｓ１２０１）、受け取った電子データの解釈を行なう（Ｓ１２１０）。
【０１０３】
ここでは、電子データを、実際に行なった、評価対象となる訓練の概要１２０２、検出された操作エラー１２０３、エラー分析結果１２０４、訓練カリキュラム１２０５および教材としてＣＡＩデータ１２０６などに分類し、表示情報制御部１３４へ伝送する（Ｓ１２０７）。
【０１０４】
図１３はコンサルタント情報管理部１３２の処理を示すフローチャートである。ここでも受信データ管理機能１３０のデータ受信部１３３でシミュレータ１１０のコンサルタント情報と判断された場合に、このコンサルタント情報管理部１３２で返信データを処理する。
【０１０５】
図１３に示すように、コンサルタント情報管理部１３２では、まず、保守サイトより返信されてきたコンサルタント情報を電子データの形で受け取り（Ｓ１３０１）、受け取った電子データの解釈を行なう（Ｓ１３１０）。
【０１０６】
ここでは、電子データを、保守サイト側でシミュレータ動作に対する見解１３０２、訓練サイトよりの作業要求仕様１３０３、および作業要求仕様に対する対応策１３０４などに分類し、表示情報制御部１３４へ伝送する（Ｓ１３０５）。
【０１０７】
図１４は評価レポート画面例を示す図である。
図１４に示すように、この評価レポート画面は、受信データ管理機能１３０にある表示情報制御部１３４で制御されて情報表示部１４０に表示される。
【０１０８】
この評価レポート画面は、プラントの主要状態を示すウインドとして、プラント状態表示ウインド１４０１と、事象に対応したパラメータをトレンド表示する事象概要トレンド表示ウインド１４０２との２つの画面がある。さらに、評価レポート情報として表示ウインドとして、分析支援対象訓練データの概要表示ウインド１４０３、操作エラー表示ウインド１４０４、エラー分析結果表示ウインド１４０５、訓練カリキュラム表示ウインド１４０６および訓練教材提供表示ウインド１４０７などがある。
【０１０９】
分析支援対象評価データ概要表示ウインド１４０３には、訓練日時、訓練事象概要、および投入したマルファンクションを表示する。
【０１１０】
操作エラー表示ウインド１４０４には、摘出した全ての操作エラーを表示する。さらに、これら、操作エラーの分析結果をエラー分析結果表示ウインド１４０５に表示し、エラーの傾向を示す。ここでは、「タイミングエラー」の例を示した。
【０１１１】
これら、エラーの分析結果に従って、訓練カリキュラム、教材が保守サイトより送られてくるが、この概要は、訓練カリキュラム表示ウインド１４０６、および教材提供ウインド１４０７に表示する。さらに、これらの画面に設けた「ダウンロード」ボタンをクリックすることにより、そのデータを訓練サイトで入手することができる。
【０１１２】
図１５はコンサルタント情報表示画面の一例を示す図である。
図１５に示すように、このコンサルタント情報表示画面も上記図１４の画面と同様に、主要プラント状態を示すウインドとして、プラント状態表示ウインド１５０１、事象概要トレンド表示ウインド１５０２の２つの画面がある。
【０１１３】
コンサルタント情報は、シミュレータ動作に対する見解表示ウインド１５０３、訓練サイトから送られてきた作業要求仕様を示した作業要求仕様表示ウインド１５０４および作業要求仕様に対する対応策表示ウインド１５０５から構成されている。
【０１１４】
シミュレータ動作に対する見解表示ウインド１５０３は、訓練サイトから送られてきたデータを基に保守サイトで検討した結果を示したものである。さらに、作業要求仕様表示ウインド１５０４は、訓練サイトから送られてきた作業の要求概要を表示するもので、この対策を作業要求仕様に対する対応策表示ウインド１５０５に表示する。ここでは、作業要求として給水ポンプ停止時の水位上昇に関しての確認である。これに対し、保守サイトでは給水ポンプ停止時に主上記隔離弁が閉鎖している点で、この水位上昇は挙動の範囲内であるとの見解を訓練サイトに示したものである。
【０１１５】
（その他の実施例）
一方、ネットワーク１７０経由のデータ伝送機能を用いて、シミュレーションデータを解析する場合は次のようになる。
【０１１６】
模擬事象に対する訓練生の行なった操作を検証する。検証は、模擬事象を発生させるために投入したマルファンクションを基に、判断基準となる操作を自動的に選定する。この基準操作と伝送されてきたシミュレーションデータを比較することによりエラーを検出する。
【０１１７】
例えば、全給水喪失および原子炉隔離時冷却系（RCIC）、高圧炉心スプレイ系（HPCS）に故障による注入不可のマルファンクションを投入する。この場合、原子炉水位低で原子炉がスクラムし、さらに、水位が下がると、RCIC、HPCSの高圧ECCS（非常用炉心冷却系）に自動起動信号が発生する。しかし、これら系統には故障のマルファンクションが投入されているため炉内に注水できず、水位はさらに低下する。これにより低圧ECCSのLPCS、LPCIに自動起動信号は発生し、待機運転状態となる。自動減圧系（ADS）による炉内の減圧完了と同時に、注水が開始され、水位が回復する。
【０１１８】
この事象では高圧ECCS故障を訓練生が認識した時点で、低圧ECCSの起動を手動で行なうか否かを検証する。もちろん、低圧ECCSは水位低下による信号で自動起動されるが、訓練生はどのように判断し、水位回復のための操作を行なうかを検証する。
【０１１９】
ここでは、基準操作を行なって高圧ECCSが故障した場合の適切な操作としては、低圧ECCSを手動起動し、炉内を減圧して注水を促すものである。
【０１２０】
高圧ECCSの故障を把握した後、訓練生が手動で低圧ECCSを起動しなければ「操作のやり忘れ」として検出する。
【０１２１】
この検出結果を基に、訓練カリキュラムの選定を行なう。この場合は操作忘れなので、事象の進展に伴ない、代替操作が必要とされる操作を含む事象を選定する。また、原子炉緊急時に自動動作する非常用炉心冷却系の概要、インターロック、構造などは教材用のＣＡＩデータとして選定する。
【０１２２】
このようにこの実施の形態のシミュレータシステムによれば、訓練サイトで動作するシミュレータ１１０の保守とこのシミュレータ１１０を利用した原子力発電プラントの運転訓練の支援をネットワーク１７０を通じて行なうことで、シミュレータ１１０が動作しているコンピュータの設置場所、あるいは運転訓練をしている訓練生が操作する端末の設置場所まで出向く必要がなくなり、迅速かつ低コストな保守サービスを提供することができる。また、プラントの運転訓練について評価する機能を保守サイトに設置したことで、訓練サイトに訓練サポート機能を設置しなくても必要に応じてこの評価機能を利用して各訓練生の運転訓練の達成度を評価することができる。
【０１２３】
さらに、訓練サポート機能などのサービス機能を保守サイトに設置したことで、以下に示すような効果が得られる。
・より専門的かつ正確な状況分析結果を入手できる。
・上記の結果に従って、効率的な訓練カリキュラム、教材を提供することができる。
・各サービス機能のバーションアップおよびメンテナンスなどをユーザである訓練サイト側の負担を最小限に抑えて実施できる。
・訓練サイト側では、新たな設備を導入する必要がない。
・将来、新たなサービスが追加された場合でもネットワーク系由で容易に使用することができる。
【０１２４】
なお、本発明は上記実施形態のみに限定されるものではない。上記実施形態に記載の各ソフトウェアは、フレキシブルディスクなどのコンピュータが読み出し可能な記憶媒体に記憶されていてもよく、また、ソフトウェア（プログラム）単体として伝送されるものでもよい。この場合、記憶媒体に記憶されたソフトウェア（プログラム）をコンピュータが読み出したり、ＬＡＮやインターネッ上のサイト（サーバ）からダウンロードしてインストールすることにより、各実施形態における処理が可能になる。
【０１２５】
なお、本発明における記憶媒体としては、磁気ディスク、フレキシブルディスク、ハードディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であってもよい。
【０１２６】
また、記憶媒体からコンピュータにインストールされたプログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行してもよい。
【０１２７】
さらに、本発明におけるソフトウェア（プログラム）は、コンピュータと独立した記憶媒体に記憶されているものだけに限らず、ＬＡＮやインターネットなどの伝送媒体を介して流通されるものも含まれる。
【０１２８】
さらに、本発明における記憶媒体は、コンピュータと独立した媒体に限らず、ＬＡＮやインターネットなどにより伝送されたプログラムをダウンロードして記憶または一時記憶した記憶媒体も含まれる。
【０１２９】
また、記憶媒体は一つに限らず、複数の媒体から本実施形態における処理が実行される場合も本発明における記録媒体に含まれ、媒体構成はいずれの構成であってもよい。
【０１３０】
なお、本発明におけるコンピュータは、記憶媒体に記憶されたプログラムに基づき、本実施形態における各処理を実行するものであって、パソコンなどの一つからなる装置、複数の装置がネットワーク接続されたシステムなどのいずれの構成であってもよい。
【０１３１】
また、本発明におけるコンピュータとは、パソコンに限らず、情報処理機器に含まれる演算処理装置、マイコンなども含み、プログラムによって本発明の機能を実現することが可能な機器、装置を総称している。
【０１３２】
【発明の効果】
以上説明したように本発明によれば、次のような種々の効果が得られる。
本発明によれば、プラントの運転訓練等を行なう訓練サイトと、この訓練サイトにあるシミュレータの不具合および運転訓練の支援情報を提供する保守サイトをネットワークで接続したことで、遠隔でシミュレータの保守およびプラントの運転訓練を行なうための支援情報を提供することができる。
【０１３３】
本発明によれば、訓練サイトに、シミュレーションデータを収集するデータ収集手段と、シミュレータの動作に疑問に疑問が生じた場合、あるいは、訓練の支援を要求する場合に、その作業を要求する作業要求仕様作成手段と、これら情報をネットワーク経由で保守サイトに送信するデータ送信手段とを備えたことで、訓練生からの要求に適切な支援情報を提供することができる。
【０１３４】
本発明によれば、訓練サイトに、保守サイトから送られてきた情報を受信するデータ受信手段と、このデータ受信手段で受信したデータのうち、シミュレータの動作状態を評価する情報を管理する評価レポート管理手段と、訓練支援の情報を管理するコンサルタント管理手段と、これら情報を画面表示するための制御を行なう表示制御手段とを備えたことで、保守依頼をしてきた訓練生に対して常に適切な支援情報を提供することができる。
【０１３５】
本発明によれば、保守サイトに、受信した情報を作業要求に従って分類する受信情報評価部と、訓練支援要求がある場合に受信した情報を基に支援情報を提供する訓練支援部と、シミュレータの動作の疑問に対して評価するコメント評価部とを備えたことで、保守依頼をしてきた訓練生に対して常に適切な支援情報を提供することができる。
【０１３６】
本発明によれば、保守サイトに、送信データ管理機能と、受信データ管理機能を備え、保守サイトに、保守データ管理機能を備えたことで、保守データを管理することができる。
【０１３７】
本発明によれば、訓練サイトでシミュレータの内部データ、表示データおよび操作データからなるシミュレータ運転データを記録し、このシミュレータ運転データとこれに対する訓練生のコメントを保守サイトに送り、保守サイトでは、受信されたコメントとデータから保守が必要かどうかを判断し、訓練生の質問事項に対する回答や保守データをネットワークを介して送信するので、保守側では、現地に出向くことなく、遠隔でプラントの運転訓練の支援を行なうことができる。
【０１３８】
本発明によれば、運転訓練のデータを記録し、基準データと比較して運転操作のエラーを抽出チェックし問題点を抽出し、抽出された問題点の理由と適切な運転操作を出力すると共に、抽出された問題点を改善するための訓練方法あるいは訓練教材を出力するので、訓練生に対して常に適切な支援を行なうことができる。
【０１３９】
本発明によれば、訓練方法および訓練教材としてシミュレータの動作スケジュールを提供することで、これまでの訓練での問題に対応した改善された訓練を具体的に提供することができる。
【０１４０】
この結果、プラントのシミュレーションを行なうシミュレータのデータを有効に活用し、シミュレータの保守を迅速に行なうことができる。
【図面の簡単な説明】
【図１】本発明の一つの実施の形態のシミュレータシステムの構成を示す図。
【図２】受信情報評価部の動作を示すフローチャート。
【図３】訓練支援部の構成を示したブロック図。
【図４】訓練支援部の動作を示すフローチャート。
【図５】コメント評価部の構成を示したブロック図。
【図６】コメント評価部の動作を示すフローチャート。
【図７】コメントの入力シートの一例を示す図。
【図８】シミュレータの原子炉水位応答を表した図。
【図９】シミュレータの原子炉水位応答の精度評価を表した図。
【図１０】シミュレータの原子炉水位応答の模擬範囲判定を表した図。
【図１１】説明のためのデータベースを示す図。
【図１２】評価レポート管理部の動作を示すフローチャート。
【図１３】コンサルタント情報管理部の動作を示すフローチャート。
【図１４】レポート結果表示の画面の一例を示す図。
【図１５】コンサルタント情報表示の画面例を示す図。
【符号の説明】
１１０・・・シミュレータ
１２０・・・送信データ管理機能
１２１・・・データ収集部
１２２・・・作業要求仕様作成部
１２３・・・データ送信部
１３０・・・受信データ管理機能
１３１・・・評価レポート管理部
１３２・・・コンサルタント情報管理部
１３３・・・データ受信部
１３４・・・表示情報制御部
１４０・・・情報表示部
１５０・・・保守データ管理機能
１５１・・・受信情報評価部
１５２・・・訓練支援部
１５３・・・コメント評価部
１６０・・・リモート保守部
１７０・・・ネットワーク
３０１・・・訓練支援情報管理部
３０２・・・エラー検出部
３０３・・・訓練カリキュラム／教材選定部
３０４・・・基準操作データベース
３０５・・・訓練支援データベース
５０１・・・コメント評価情報管理部
５０２・・・模擬範囲・仕様判断部
５０３・・・コメント判断部
５０４・・・保守履歴管理部
５０６・・・模擬範囲・仕様データベース
５０７・・・判断基準データベース
５０８・・・保守履歴データベース
５０９・・・事象解説データベース
５１０・・・拡張可能性データベース
【図１】
0004244271.tif 000003
【図２】
0004244271.tif 000004
【図３】
0004244271.tif 000005
【図４】
0004244271.tif 000006
【図５】
0004244271.tif 000007
【図６】
0004244271.tif 000008
【図７】
0004244271.tif 000009
【図８】
0004244271.tif 000010
【図９】
0004244271.tif 000011
【図１０】
0004244271.tif 000012
【図１１】
0004244271.tif 000013
【図１２】
0004244271.tif 000014
【図１３】
0004244271.tif 000015
【図１４】
0004244271.tif 000016
【図１５】
0004244271.tif 000017